(57)【要約】 【構成】  前身頃と両前袖との間の襠を後身頃と両後袖との間の襠よりも大きくするようにして、セーターの両袖と身頃とを襠で接続する。編地を回転させて、例えば左袖の前後の境界を前後の針床間に位置させ、この状態で左袖と前身頃とを接合し、再度編地を回転させて、右袖の前後の境界を前後の針床間に位置させて、右袖と前身頃とを接合する。【効果】  前後の襠の差により、身体にフィットして前側でシワができず、後側で突っ張り感のないセーターを編成できる。また袖の前後の境界が前後の針床間に位置するように編地を回転させて接合するので、捻れ目が生じない。【選択図】     図１  
2005054296.tif 000002
【特許請求の範囲】
【請求項１】
少なくとも前後一対の針床を備えた横編機上で、身頃と両袖を脇下まで各々筒状に編成した後、両袖を身頃に接合し、さらに前身頃と後身頃との上端部を接合して、衣類とする編成方法において、
ステップa：  両前袖と前身頃とを脇下の襠で接続し、ここで、両後袖と後身頃との間には襠を形成しないか、または襠を形成しても前記両前袖と前身頃との襠よりも小さな襠とし、
ステップb：  少なくとも一方の袖と身頃を、横編機上で第１の方向に回転させて、一方の袖の前後の境界を前記前後一対の針床の間に位置させ、かつ前記一方の袖と前身頃及び後身頃を編成しながら、前身頃及び後身頃と該一方の袖とを接合し、ステップc：  少なくとも他方の袖と身頃を、横編機上で第１の方向と反対方向に回転させて、他方の袖の前後の境界を前記前後一対の針床の間に位置させ、かつ前記他方の袖と前身頃及び後身頃を編成しながら、前身頃及び後身頃と該他方の袖とを接合する、ことを特徴とするくり違いのある衣類の編成方法。
【請求項２】
前記ステップbとステップcとを交互に繰り返して行うことを特徴とする、請求項１のくり違いのある衣類の編成方法。
【請求項３】
筒状編地からなる身頃と筒状編地からなる両袖とが、脇で無縫製で編成操作により接合され、肩部で前身頃と後身頃とが接合された衣類において、
a：  前記両袖の前部が脇下で襠により前身頃に接合されることにより、脇下よりも上部で、前袖が後袖よりも編幅が狭く、
b：  前記両袖の前部が脇下で襠により前身頃に接合されることにより、脇下よりも上部で、前身頃の編幅が後身頃の編幅よりも狭く、  かつ
c：  脇で前身頃及び後身頃と両袖とが、捻れのない編目同士の重ね目で接合されている、
ことを特徴とするくり違いのある衣類。
【請求項４】
少なくとも前後一対の針床を備えた横編機上で、身頃と両袖を脇下まで各々筒状に編成した後、両袖を身頃に接合し、前身頃を後身頃と接合して衣類とするための編成データを発生させる、デザイン装置において、
ステップa：  両前袖と前身頃とを脇下の襠で接続し、ここで、両後袖と後身頃との間には襠を形成しないか、または襠を形成しても前記両前袖と前身頃との襠よりも小さな襠とし、
ステップb：  少なくとも一方の袖と身頃を、横編機上で第１の方向に回転させて、一方の袖の前後の境界を前記前後一対の針床の間に位置させ、かつ前記一方の袖と前身頃及び後身頃を編成しながら、前身頃及び後身頃と該一方の袖とを接合し、
ステップc：  少なくとも他方の袖と身頃を、横編機上で第１の方向と反対方向に回転させて、他方の袖の前後の境界を前記前後一対の針床の間に位置させ、かつ前記他方の袖と前身頃及び後身頃を編成しながら、前身頃及び後身頃と該他方の袖とを接合する、
ための編成データを、上記ステップa〜cの順で、横編機により実行されるように生成することを特徴とするニットデザイン装置。
【発明の詳細な説明】
【技術分野】
【０００１】
この発明はセーター、ベスト、ワンピース、ドレスなどの編成に関し、特に、前袖と後袖とにくり違いがあり、同様に前身頃と後身頃との間にもくり違いがあり、袖が前方に出て人の体型にフィットする衣類の編成に関する。この発明は、このようなくり違いのある衣類の編成方法、編成されたくり違いのある衣類、並びに必要な編成データを発生させるためのニットデザイン装置に関する。
【背景技術】
【０００２】
出願人は、横編機により筒状編地を無縫製で編成することを検討し、実用化に成功した。特許文献１は２枚ベッドの横編機により筒状のリブ編みを行う編成方法を提案している。この方法は針抜き編成と呼ばれ、前後の針床の針を１本置きに使用する点が特徴である。特許文献２は２枚の編地の接合方法を提案している。例えば編地を各５目ずつ接合するとする。この場合、編地間の中央の編目同士を重ね、また両端の編目同士を重ねるように接合する。
【０００３】
特許文献３〜５は編地の接合や伏せ目の方法を提案している。特許文献６は、前身頃の上端が肩ラインを越えて後身頃側へ入り込むようにするための編成方法を開示している。特許文献７は衿ぐりの編成方法を開示している。特許文献８は袖と身頃間の襠の編成方法を開示している。特許文献９はＴスリーブタイプの袖と身頃の接合方法を開示している。
【０００４】
布帛を用いた製品では、人の体型に合わせて前後にくり違いを設けることは常識である。しかし無縫製のニット製品では、前後にくり違いのあるセーターなどは生産されていない。そして袖の部分で前後にくり違いを設け、袖が前方に出るようにすると、洋服感覚で着やすい衣類となる。しかしながら、無縫製ニットではこのようなセーターの編成方法は知られていない。
【特許文献１】特公平３−７５６５６号公報
【特許文献２】特開平８−１５８２０９号公報
【特許文献３】特開平９−３１０２５４号公報
【特許文献４】特開平１０−２２６９４７号公報
【特許文献５】特開平１０−７７５５６号公報
【特許文献６】ＷＯ００／１２７９９号公報
【特許文献７】ＷＯ０１／５５４９１号公報
【特許文献８】ＷＯ０１／８８２４３号公報
【特許文献９】ＷＯ０１／９４６７１号公報
【発明の開示】
【発明が解決しようとする課題】
【０００５】
この発明の課題は、実質的に無縫製でかつ前後にくり違いがあり、着用時に袖が前側に寄って人体にフィットする衣類の編成方法と、このような衣類、並びに必要な編成プログラムを発生させるためのニットデザイン装置を提供することにある。
【課題を解決するための手段】
【０００６】
この発明のくり違いのある衣類の編成方法は、少なくとも前後一対の針床を備えた横編機上で、身頃と両袖を脇下まで各々筒状に編成した後、両袖を身頃に接合し、さらに前身頃と後身頃との上端部を接合して、衣類とする編成方法において、
ステップa：  両前袖と前身頃とを脇下の襠で接続し、ここで、両後袖と後身頃との間には襠を形成しないか、または襠を形成しても前記両前袖と前身頃との襠よりも小さな襠とし、ステップb：  少なくとも一方の袖と身頃を、横編機上で第１の方向に回転させて、一方の袖の前後の境界を前記前後一対の針床の間に位置させ、かつ前記一方の袖と前身頃及び後身頃を編成しながら、前身頃及び後身頃と該一方の袖とを接合し、ステップc：  少なくとも他方の袖と身頃を、横編機上で第１の方向と反対方向に回転させて、他方の袖の前後の境界を前記前後一対の針床の間に位置させ、かつ前記他方の袖と前身頃及び後身頃を編成しながら、前身頃及び後身頃と該他方の袖とを接合する、ことを特徴とする。好ましくは、前記ステップbとステップcとを交互に繰り返して行う。
【０００７】
この明細書で、無縫製とは、全く縫製を行わない編成方法や、襠の形成から袖と身頃との接合において縫製を行わない編成方法などをいう。衣類の上下／左右／前後は衣類を着用した際を基準として定め、編み始め側が下、ネックホールや衿などの側が上である。なお針床（ニードルベッド）の前後やそのラッキング（振り）の方向は、編機を前から見たときを基準として、前側を前，後側を後とし、手前から見て左に振ると左にラッキング、右に振ると右にラッキングとする。
【０００８】
またこの発明のくり違いのある衣類は、筒状編地からなる身頃と筒状編地からなる両袖とが、脇で無縫製で編成操作により接合され、肩部で前身頃と後身頃とが接合された衣類において、
a：  前記両袖の前部が脇下で襠により前身頃に接合されることにより、脇下よりも上部で、前袖が後袖よりも編幅が狭く、
b：  前記両袖の前部が脇下で襠により前身頃に接合されることにより、脇下よりも上部で、前身頃の編幅が後身頃の編幅よりも狭く、  かつ
c：  脇で前身頃及び後身頃と両袖とが、捻れのない編目同士の重ね目で接合されている、ことを特徴とする。
【０００９】
この発明のニットデザイン装置は、少なくとも前後一対の針床を備えた横編機上で、身頃と両袖を脇下まで各々筒状に編成した後、両袖を身頃に接合し、前身頃を後身頃と接合して衣類とするための編成データを発生させる、デザイン装置において、
ステップa：  両前袖と前身頃とを脇下の襠で接続し、ここで、両後袖と後身頃との間には襠を形成しないか、または襠を形成しても前記両前袖と前身頃との襠よりも小さな襠とし、
ステップb：  少なくとも一方の袖と身頃を、横編機上で第１の方向に回転させて、一方の袖の前後の境界を前記前後一対の針床の間に位置させ、かつ前記一方の袖と前身頃及び後身頃を編成しながら、前身頃及び後身頃と該一方の袖とを接合し、
ステップc：  少なくとも他方の袖と身頃を、横編機上で第１の方向と反対方向に回転させて、他方の袖の前後の境界を前記前後一対の針床の間に位置させ、かつ前記他方の袖と前身頃及び後身頃を編成しながら、前身頃及び後身頃と該他方の袖とを接合する、
ための編成データを、上記ステップa〜cの順で、横編機により実行されるように生成することを特徴とする。
【発明の効果】
【００１０】
この発明では、前袖と前身頃とを襠（前側の襠）で接続し、ここで前側の襠が後袖と後身頃とを接続する襠（後側の襠）よりも大きくなるようにし、あるいは後側の襠を形成しないようにする。脇下まで前身頃と後身頃との編幅が同じとすると、前身頃側にのみ襠があるため、あるいは前後の襠に長さの差があるため、襠以降（襠よりも上部）で前身頃の編幅が後身頃よりも小さくなる。同様に、前身頃側にのみ襠があるため、あるいは前後の襠に長さの差があるため、脇下よりも上部で、前袖の編幅が後袖の編幅よりも狭くなる。このため、例えば前後の袖の境界部は前袖側に押し出され、袖が前側に寄った衣類となり、人の体型に合ったシルエットになる。このため着用時に人体にフィットして、脇の前側にシワが生じにくく、後側では編地が引っ張られている感じが生じにくい。
【００１１】
ここで、前後非対称な襠を形成したため、通常の方法で袖と身頃を接合すると、捻れ目が生じてしまう。参考のために、図１４に従来例での両袖と身頃との接合編成を示す。Ｂ，Ｂ’は前身頃４の両端で、Ｅ，Ｅ’は後身頃６の両端、ｈ，ｈ’は両袖８，１０の外側の前後の境界とする。編成は図の下から上への順で行い、後編地を１コース編成し、右後袖の編地を編幅の内側にラッキングして、１目接合する。次いで左前袖から前身頃を１コース編成し、左前袖と左後袖を内側にラッキングして各１目ずつ身頃の編目に重ねて接合し、他に右前袖を内側にラッキングして１目接合する。この後、前身頃と左前袖及び左後袖と後身頃を各１コース編成し、左後袖と右後袖を各１目接合する。後身頃を１コース編成し、左後袖を１目接合し、後身頃と右後袖を１コース編成し、左前袖を１目接合する。さらに右前袖と前身頃を１コース編成し、左前袖と、右前袖、右後袖を各１目接合する。この後、前身頃と右前袖を１コース編成し、右前袖を１目接合する。この編成では、袖を２コース、身頃を４コース編成し、袖を３目接合することが単位となるので、２（袖の編成コース数）：４（身頃の編成コース数）：３（接合する目数）の編成という。
【００１２】
図１４の編成では、前後に非対称な襠を形成しないので、袖の前後の境界ｈ，ｈ’は前後の針床の間にある。しかし前後に非対称な襠を形成すると、境界ｈ，ｈ’が前袖側に現れ、これは捻れ目の原因となる。図１５のように、端部の編目１００を目移しすると、捻れ目１０１となる。捻れ目１０１上に次のコースの編目１０２を編成すると、捻れ目１０１が捻れたまま固定される。そこで在来の袖と身頃の接合編成を、前後に非対称な襠を設けて、実行すると、襠により後袖から前袖に回し込まれた編目が捻れ目となる。捻れ目上に新たなコースの編目を編成すると、捻れ目が固定され、衣類の商品価値が失われる。
【００１３】
この発明では、前後非対称な襠を形成した後、少なくとも一方の袖と身頃とを横編機上で第１の方向に回転させ、一方の袖の前後の境界を前後少なくとも一対の針床の境界に配置し、これによって編目の捻れを解消する。捻れを解消した状態で、一方の袖と前身頃や後身頃を適宜のコース数編成し、これと共に一方の袖を前身頃や後身頃に適宜の目数分接合する。他方の袖を接合するため、少なくとも他方の袖と身頃を第１の方向とは逆方向に横編機上で回転させ、他方の袖の前後の境界を前後少なくとも一対の針床の境界に配置して、他方の袖と身頃との接合、他方の袖や身頃の編成を行う。
【００１４】
好ましくは一方の袖の接合などと、他方の袖の接合などを交互に行う。袖付けの種類は、袖の編成コース数、身頃の編成コース数、袖と身頃とを接合する目数、接合により生じる重ね目をどの位置に配置するかなどで、Ｔスリーブから、セットインスリーブ、ラグラン袖などの広い範囲から選ぶことができる。また袖と身頃との接合が完了すると、例えば前肩や後肩の編成と前後の編地の接合などを行う。
【００１５】
この発明とは別に、前後非対称な襠の形成前に、前後の袖山を引き返しで編成し、ここで前側の袖山の編幅を後側の袖山の編幅よりも狭くしておくことが考えられる。後袖が前側に回し込まれても、編成済みで編針から外れた編目は捻れ目とはならず、捻れ目は袖山の最終コースに現れ、この捻れ目を身頃の編目の下部に隠れるように重ねると、捻れ目が目立たない。しかしながらこの編成方法では、引き返し編みが必要で、可動のシンカー装置を備えた横編機を用いることが好ましい。これに対してこの発明では、可動シンカー装置の無い横編機でも容易に編成できる。
【００１６】
この発明のくり違いのある衣類では、両袖が自然と前側に寄り、着用時に人体にフィットする。またこの発明のくり違いのある衣類を着用すると、前側にシワが少なく、後側に突っ張りが少なくなり、きれいなシルエットが得られる。
この発明のニットデザイン装置では、くり違いのある衣類の編成データを生成できる。
【発明を実施するための最良の形態】
【００１７】
以下に本発明を実施するための最適実施例を示す。
【実施例】
【００１８】
図１〜図１３に、実施例とその変形を示す。図１〜図３に、実施例で編成するセットインスリーブのセーター２を示す。４は前身頃で、その後側には後身頃６があり、左右に左袖８と右袖１０とがある。なお左右はセーター２を着用した際を基準に示すので、通常とは逆に現れる。各図において小文字は袖側の位置を示し、大文字は身頃側の位置を示す。また小文字ａと大文字Ａのように対応する位置は、編成によって同じ位置に重ねられる。
【００１９】
前身頃４や後身頃６は、裾ゴムから編み始めて、脇下まで筒状に編成され、同様に左袖８や右袖１０も、編み始めの裾ゴムから、筒状に編成される。脇下で、位置(ａ，Ａ)、(ｂ，Ｂ)、(ｅ，Ｅ)を互いに接合するように、左袖８を前身頃４と後身頃６に襠で接合する。右袖１０でも、点(ａ'，Ａ')(ｂ'，Ｂ')(ｅ'，Ｅ')を互いに接合するように襠を形成する。ｈ，ｈ’は両袖８，１０の外側での、前後の境界である。前身頃や前袖側の襠形成部１４，１４は、後身頃や後袖側の襠形成部１５，１５よりも、例えば２〜６目程度襠の幅が広く、後袖側の襠形成部１５は設けなくてもよい。襠の形成までの状態を、図２に模式的に示す。図２の矢印は、襠での接合の方向である。
【００２０】
図３に移り、２０，２１は前袖と前身頃との接合ラインで、２２，２３は後袖と後身頃との接合ラインである。接合ライン２０，２２は例えば４（袖の編成コース数）：４（身頃の編成コース数）：４（減らし目の数）で処理し、減らし目は身頃の内側に設けて、前後の身頃の編幅を徐々に減少させる。接合ライン２２，２３では、４（袖の編成コース数）：４（身頃の編成コース数）：２（減らし目の数）の接合を行い、重ね目は袖と身頃との境に設けて袖の編幅を徐々に減少させる。前肩と後肩とを接合ライン２４で接合し、２５はネックホールである。
【００２１】
セーター２は無縫製であるが、例えば衿の取り付けやポケットの取り付けなどは縫製を用いてもよい。この発明で無縫製として特に意味がある部分は、襠形成部１４，１５を形成し、両袖８，１０を身頃４，６に接合し、前身頃４の上端と後身頃６の上端を接合する部分である。前後にくり違いのある衣類としては、セーターの他にワンピースやカーディガンなどでも良く、袖は長袖でも半袖などでも良い。
【００２２】
図４〜図１１に、セーター２の編成方法を示す。各図において１〜６などの編成ステップの番号は図毎に付し、同じ番号でも図が異なれば別のステップで、図は下から上への順で編成操作を示している。使用する横編機は例えば４枚ベッド（前後に各２枚ずつの針床）の横編機とするが、前後２枚の針床を備えた横編機の場合、公知の針抜き編成を用いると同様の編成ができる。
【００２３】
両袖８，１０と前後の身頃４，６を、脇下まで筒状に編成する。図４のステップ１に、脇下まで編成した際の針床での身頃と袖の係止状態を示す。ステップ２で、襠を編成するため両袖を身頃側に寄せて身頃に隣接させる。この時、前身頃や両前袖は下部前ベッドＦＤに係止され、後身頃や両後袖は下部後ベッドＢＤに係止されている。ステップ３で、左前袖を上部後ベッドＢＵに、右後袖を上部前ベッドＦＵに目移しし、右後袖と後身頃との間の襠を形成すると共に、左前袖と前身頃との間の襠の約半分を形成する。ステップ３を終えた後ステップ４の前に、右後袖を元の下部後ベッドＢＤへ移し戻す。ステップ４で、後ベッドを左側へラッキングしながら襠を形成する。この時、糸切れを防ぐため、後右袖の端の編目を順に前ベッドに回し込む。なお回し込みは後述の図６で説明する。
【００２４】
図４のステップ４で、前身頃と左前袖との襠の形成を完了する。ステップ５で、後身頃と左後袖との襠を形成し、前身頃と右前袖との襠の約半分を形成する。ステップ５とステップ６の間で、左後袖を下部前ベッドＦＤへ回し込む。そしてステップ６で、前身頃と右前袖との残りの襠を形成する。これらによって左右の後袖が前ベッド側に回し込まれ、前後の袖の境界ｈ，ｈ'は前針床に移動している。
【００２５】
図５に、４：４：４（式の意味は前述）での両袖と身頃との接合編成を示す。ステップ１は、襠の形成が終わった点である。ここからステップ２で編地全体（以下単に編地）を例えば反時計回りに回転させ、左袖８の前後の境界ｈを前後の針床間（歯口）に位置させる。この結果、左袖の最終コースでの編目の捻れが解消する。回し込みの原理を図６に示すと、ステップ０で編地３０，３１が向かい合って配置されているものとする。ステップ１で例えば後側の編地３１を左へシフト(ラッキング)させ、ステップ２で両端の編目を目移しする。次にステップ３で編地を再度シフトさせ、以降は、目移しとラッキングとを繰り返す。このようにすると、編地を横編機上で回し込むことができる。
【００２６】
図５に戻り、ステップ３，４で例えば新たな糸道（給糸口）ａを用い、左前袖を２コース編成し、左後袖を同様に２コース編成する。次いでステップ５で、左前袖と左後袖を各２目ずつ前後の身頃の端部の編目に接合する。この接合では、袖の編地を反対側の針床に移し、編地を編目２目分内側に移動させて、元の針床に戻す。ステップ６，７で、前身頃と左前袖及び後身頃と左後袖を各２コース編成し、ステップ８で前後の身頃を各２目内減らしする。これによって、前後の身頃の編幅が２目減少する。ステップ３〜８で、前後の左袖を各４コース編成し、前後の身頃を各２コース編成し、目数は前後とも４目分減少している。
【００２７】
ステップ９で、編地を反対方向に例えば時計回りに回転させ、右袖の前後の境界ｈ’を前後の針床間に位置させる。次にステップ３〜８と同様に編成を、例えば新たな糸道ｂを用いて、右袖１０と前後の身頃４，６に対して行うと、図５の最上部の状態となり、ここからステップ２〜１５を繰り返す。ステップ３〜１５で、両袖は前後とも各４コース編成され、前後の身頃も各４コース編成され、編幅は左右とも前後各４目減少している。そしてステップ８，１５での内減らしの位置を選ぶなどにより、袖付けのパターンなどを変えることができる。
【００２８】
図７に、図５での編成を前身頃と両前袖分について示す。横に伸びた欄３４は編成コース（新たに編成された編目列）を示し、３６は重ね目を示し、３８は編幅の減少部（減らしで減少した編幅）を示す。ステップ番号は図５と共通で、ステップ８，１５での重ね目が前身頃内にあるため、袖と身頃との境界は斜め内側を向き、４：４：４の接合編成となり、ステップ３〜１５を繰り返して袖を身頃に接合する。
【００２９】
図８，図９に４：４：２の接合編成を示す。例えばステップ１で襠の形成が終了したものとし、ステップ２で編地を例えば反時計回りに回転させて、左袖８の前後の境界ｈが前後の針床間に位置するようにする。例えば新たな糸道ａを用いて、前後の左袖を各２コース編成し（ステップ３，４）、ステップ５で左前袖と左後袖とを各２目ずつ身頃の端の編目に重ねて接合し、ステップ６，７で前後の身頃と前後の左袖を各２コース編成する。
【００３０】
ステップ８で編地を反対向きの時計回りに回転させ、例えば新たな糸道ｂを用い、ステップ９〜１３で、ステップ３〜７と同様の編成を行う。そして、ステップ１３からステップ２に戻るように、ステップ２〜１３を繰り返す。ステップ２〜１３で、前後の各袖は各４コース、前後の身頃は各４コース編成され、前後の袖は左右とも２目ずつ接合され、身頃の編幅は減少しないので袖付けの方向は上下方向となる。  
【００３１】
図９に、図８の接合編成での、左右の袖の編幅の減少、身頃と袖との接合位置などを、前編地側について示す。接合は袖の内側の端部の編目を、身頃の外側の端部の編目に重ねることで行われ、袖の編幅が減少して行く。
【００３２】
図１０に、２：４：３の接合編成を示す。ステップ１，２で襠の形成が終了したとすると、ステップ３で編地を例えば反時計方向に回転し、例えば左袖８の前後の境界が前後の針床間に位置するようにする。ステップ４で、前後の左袖を各２コース、前後の身頃を各２コース編成し、この間に左前袖を２目、左後袖を３目、身頃の編目に接合する。また右後袖を２目、右前袖を１目接合する。
【００３３】
ステップ５で編地を回転し、右袖の前後の境界を前後の針床間に位置させて、ステップ６で、前後の身頃を各２コース、前後の右袖を各２コース編成し、この間に、左前袖を１目、右前袖を２目、右後袖を１目接合する。そしてステップ７で編地を回転し、ステップ４に戻る。このようにすると、ステップ３〜６を繰り返すことになり、この間に、前後の各袖を各２コース編成し、前後の身頃を各４コース編成し、前後の袖を左右とも各３目接合したことになる。  
【００３４】
（４：４：４），（４：４：２），（２：４：３）などのようにして、コース編成と接合の比率、重ね目の形成位置などを変えると、所望のパターンで袖付けを行える。いずれの場合も、前身頃の編幅が後身頃よりも狭く、袖山（脇下よりも上部の袖）では、前側が後側よりも狭いので、アームホールが自然と前側を向き、人体にフィットし、前側にシワが生じにくく、後側で突っ張りの少ないセーターとなる。また袖と身頃の接合時に行う袖の編成は、前後の袖の境界が前後の針床間に位置するように、編地を回転させて行うので、捻れ目が生じない。また引き返しではないので、可動シンカー装置を備えない横編機でも容易に編める。ただし引き返しをこの発明と併用し、例えば襠の形成前に袖山の一部を引き返し編成しておいても良い。
【００３５】
図１１に、ラグランスリーブセーター４０に実施例を適用した例を示す。４２は前身頃、４４は後身頃、４６は左袖、４８は右袖で、前側の襠１４，１４は後側の襠１５，１５よりも幅が広く、袖４６，４８と前身頃４２との接合ライン５２は、後身頃４４との接合ライン５３よりも内側に寄っている。５４はネックホールである。前側の襠１４が後側の襠１５よりも広くなるように、襠１４，１５を形成する。また袖山５５は前側が後側よりも幅が狭くなるようにし、接合ライン５２，５３には４：４：４などの適宜のものを用いて、身頃の編幅が所定のピッチで減少するようにする。ラグラン袖の場合、高い袖山が好まれるので、襠の形成前などに袖山のウェールを引き返しなどで編成しておいても良い。
【００３６】
図１２では、ネックホール２５の部分からの編成を示す。ステップ１はこの部分の編成の開始前で、Ｉ〜Ｉ’はネックホールの下端を示し、ステップ２は、左前肩部６０と右前肩部６１とを編成し、袖と接合することを模式的に示している。６２は左袖の最終コース、６３は右袖の最終コースで、この編成では、編地が徐々に袖側に移動するように編成し、例えば編地を２コースなどの所定コース毎に移動させながら編成し、必要であれば左前肩部６０の左側や右前肩部６１の右側で増目を行って編幅を増加させる。この間に袖と前肩とが接合され、前肩の左右の端部の編目に袖の端部の編目とを重ねて接合する。この間に、左前肩６０の両端はＩ〜Ｃ点からＨ〜Ｄ点に変化し、右前肩部６１の両端はＩ’〜Ｃ’点からＨ’〜Ｄ’点に変化する。
【００３７】
ステップ３で後身頃６の上部の後肩部６４を編成し、編幅を徐々に狭めながら、後肩部６４と前肩部６０，６１の編目を重ねて接合して行くと、ステップ４の状態となり、２５はネックホールである。ここから衿６６を編成してセーター２を完成する。
【００３８】
図１３に、実施例で用いるニットデザイン装置８０を示す。ニットデザイン装置８０の目的は、実施例で示したくり違いのある衣類の編成データを、ユーザのデザインに従って生成することである。８１はバスで、８２はキーボード、８３はスタイラスで、この他にマウスやトラックボールなどの入力を設けてもよい。８４はカラーモニタなどの表示部で、８５はカラープリンタで、８６はディスクであり、これ以外にＬＡＮとの接続などを可能にしてもよい。
【００３９】
筒状編成部９０は、ユーザのデザインに従って、脇下までの身頃や両袖までの筒状編成に必要な編成データを生成する。ユーザのデザインに従って、各部の編成データを生成する点は、以下同様である。非対称襠編成部９２は、前後非対称で前側の襠が後側の襠よりも大きい前後の襠の編成データを生成する。後の襠は無くても良い。身頃袖接合部９３は、脇下よりも上での前後の身頃と袖の接合及び身頃と袖のコース編成のデータを生成する。前肩編成部９４は、前肩を編成しながら袖と接合する編成データを生成する。後肩編成部９５は、後肩と前肩の接合編成の編成データを生成する。なお後肩の編成は、接合を主として編目の形成が僅かなものでも、編目を多数形成するものでもよい。衿編成部９６は衿の編成データを生成する。
【００４０】
実施例では袖と身頃との接合編成に一対の糸道（給糸口）を用いたが、編成コースを１筆書きできるなら、給糸口は１個でも良い。
【００４１】
実施例では、前後にくり違いのある衣類を編成できるので、袖は前方を向き、人の体に自然にフィットする。また着用時に、前側にシワが少なく、後側に突っ張りが少なくなり、きれいなシルエットが得られる。実施例ではセーターを示したが、ワンピースやドレス、ベストなどでもよい。
【図面の簡単な説明】
【００４２】
【図１】実施例で編成するくり違いセーターでのパターンの例を示す図
【図２】図１のくり違いセーターでの、前後非対称な襠の編成を模式的に示す図
【図３】実施例で編成するセットインスリーブのくり違いセーターを模式的に示す図
【図４】実施例での前後非対称な襠の編成方法の概要を示す図
【図５】実施例での４：４：４編成の編成方法を示す図
【図６】図５の編成で用いる回し込み操作を示す図
【図７】図６の４：４：４編成での編成コースと編目移動とを、前身頃及び両前袖の部分に付いて示す図
【図８】実施例での４：４：２編成の編成方法を示す図
【図９】図８の４：４：２編成での編成コースと編目移動とを、前身頃及び両前袖の部分に付いて示す図
【図１０】実施例での２：４：３編成の編成方法を示す図
【図１１】実施例で編成するラグランスリーブのセーターを模式的に示す図
【図１２】実施例での身頃と袖の接合後の、編成操作の概要を示す図
【図１３】実施例のくり違いのある衣類の編成をサポートしたニットデザイン装置のブロック図
【図１４】従来例での２：４：３編成の編成方法を示す図
【図１５】従来例での捻れ目の発生を模式的に示す図
【符号の説明】
【００４３】
２          セーター
４          前身頃
６          後身頃
８          左袖
１０        右袖
１４，１５  襠形成部
２０〜２４  接合ライン
２５        ネックホール
３０，３１  編地
３４        編成コース
３６        重ね目
３８        編幅の減少部
４０        ラグランスリーブセーター
４２        前身頃
４４        後身頃
４６        左袖
４８        右袖
５２，５３  接合ライン
５４        ネックホール
５５        袖山
６０        左前肩部
６１        右前肩部
６４        後肩部
６６        衿
８０        ニットデザイン装置
８１        バス
８２        キーボード
８３        スタイラス
８４        表示部
８５        カラープリンタ
８６        ディスク
９０        筒状編成部
９２        非対称襠編成部
９３        身頃袖接合部
９４        前肩編成部
９５        後肩編成部
９６        衿編成部      
１００      編目
１０１      捻れ目
１０２      編目
ｈ，ｈ’    袖の前後境界
Ｂ，Ｂ’    脇下での前身頃の両端
Ｅ，Ｅ’    脇下での後身頃の両端  
【図１】
2005054296.tif 000003
【図２】
2005054296.tif 000004
【図３】
2005054296.tif 000005
【図４】
2005054296.tif 000006
【図５】
2005054296.tif 000007
【図６】
2005054296.tif 000008
【図７】
2005054296.tif 000009
【図８】
2005054296.tif 000010
【図９】
2005054296.tif 000011
【図１０】
2005054296.tif 000012
【図１１】
2005054296.tif 000013
【図１２】
2005054296.tif 000014
【図１３】
2005054296.tif 000015
【図１４】
2005054296.tif 000016
【図１５】
2005054296.tif 000017